(57)【要約】 【課題】  縦ノリする観衆のようにコンサートホールの共振周波数とは異なる周波数で周期的な振動を発生する振動源に対し、振動を低いコストで効果的に抑制する。【解決手段】  ステージと、その周囲に配置される観客席と、ステージから離れた位置に配されている観客席に向けてステージの映像を表示する映像表示装置４と、該映像表示装置４による映像の表示をステージにおける現実の演奏に対して遅延させる遅延手段１６とを備えるコンサートホールを提供する。【選択図】      図３
2005220710.tif 000002
【特許請求の範囲】
【請求項１】
ステージと、その周囲に配置される観客席と、ステージから離れた位置に配されている観客席に向けてステージの映像を表示する映像表示装置と、該映像表示装置による映像の表示をステージにおける現実の演奏に対して遅延させる遅延手段とを備えることを特徴とするコンサートホール。
【請求項２】
前記遅延手段が、映像表示装置による映像の表示をステージにおける現実の演奏に対して略半周期分遅延させることを特徴とする請求項１に記載のコンサートホール。
【請求項３】
縦揺れ加速度を検出する加速度センサを備え、該加速度センサにより検出された縦揺れ加速度が所定のしきい値を超えたときに前記遅延手段を作動させる制御装置を備える請求項１または請求項２に記載のコンサートホール。
【請求項４】
ステージとその周囲に配置される観客席とを備えるコンサートホールと、
該コンサートホールが設けられている建造物内に配置された視聴領域とを備え、
該視聴領域に、ステージの映像を表示する映像表示装置と、ステージの音響を出力する音響出力装置とが設置され、
前記映像表示装置による映像の表示および音響出力装置による音響の出力をステージにおける現実の演奏に対して遅延させる遅延手段が設けられていることを特徴とする施設。
【請求項５】
ステージとその周囲に配置される観客席とを備えるコンサートホールと、
該コンサートホールが設けられている建造物に隣接して配置された視聴領域とを備え、
該視聴領域に、ステージの映像を表示する映像表示装置と、ステージの音響を出力する音響出力装置とが設置され、
前記映像表示装置による映像の表示および音響出力装置による音響の出力をステージにおける現実の演奏に対して遅延させる遅延手段が設けられていることを特徴とする施設。
【請求項６】
前記遅延手段が、映像表示装置による映像の表示および音響出力装置による音響の出力をステージにおける現実の演奏に対して略半周期分遅延させることを特徴とする請求項４または請求項５に記載の施設。
【請求項７】
縦揺れ加速度を検出する加速度センサを備え、該加速度センサにより検出された縦揺れ加速度が所定のしきい値を超えたときに前記遅延手段を作動させる制御装置を備える請求項４から請求項６のいずれか１項に記載の施設。
【請求項８】
ステージとその周囲に配置される観客席とを備えるコンサートホールにおいて、前記観客席の一部の領域に向けて表示するステージの映像を、ステージにおける現実の演奏に対して遅延させることを特徴とするコンサートホールの制振方法。
【請求項９】
ステージとその周囲に配置される観客席とを備えるコンサートホールに近接してステージの映像を視聴可能な視聴領域を備える施設において、前記視聴領域に向けて表示するステージの映像を、ステージにおける現実の演奏に対して遅延させることを特徴とするコンサートホールを備える施設の制振方法。
【発明の詳細な説明】
【技術分野】
【０００１】
この発明は、コンサートホール、これを有する施設およびそれらの制振方法に関し、特に、都市部に建設された大型コンサートホールにおいて発生する振動を防止する技術に関するものである。
【背景技術】
【０００２】
従来、ステージの周囲に配置された観客席に観客を集めて、ステージ上で歌手や楽器の演奏を行うコンサートホールにおいては、観客席の観客がその場で立ち上がり、演奏に合わせてリズムを取り、体を上下に振動させる、いわゆる「縦ノリ」が行われる。
都市部に建設され、大型コンサートホールにも利用されるドーム球場においては、観客の「縦ノリ」による足踏み振動が、コンサートホールの周囲に伝播し、地震のような揺れを発生させることが社会問題化している。
【０００３】
超高層ビルや長大橋、免震構造物などの固有周期が数秒になるような長周期構造物を加振して構造物の振動特性を確認する装置は、例えば、特許文献１に提案されている。この特許文献１の装置は、レール上にころがり支承によって直線移動自在に支持された可動重錘を、ボールねじとモータとによって左右に移動させる構造のものである。
【特許文献１】特許第３２３５８２０号公報（段落００１８〜００１９、図１等）
【発明の開示】
【発明が解決しようとする課題】
【０００４】
しかしながら、特許文献１のような構造の加振装置は水平振動については有効であるが、垂直方向に加振することは困難である。特に、縦ノリ等の過大な振動力を制振するほどの加振力を発生させるには巨大な駆動源が必要であり、装置規模およびコスト面において現実的ではない。
【０００５】
また、縦ノリの振動は、比較的低い２〜３Ｈｚ程度の振動であり、周期的な振動が建物の共振周波数に合致することによって生じているものではない。したがって、例えば、積層ゴムによる通常の制振装置や、チューンドマスダンパのようなダンパ装置によっては、これらの振動を効果的に抑制することはできないという不都合がある。
【０００６】
また、例えば、コンサートホールの観客席下に、シートを敷いたり、厚めの芝生を敷き詰めたりすることも試みられているが、あまり効果はなく、逆に振動を増幅させてしまう場合もあるという問題があった。
【０００７】
本発明は上述した事情に鑑みてなされたものであって、縦ノリする観衆のように建造物や施設の共振周波数とは異なる周波数で周期的な振動を発生する振動源に対し、振動を低いコストで効果的に抑制することができるコンサートホール、これを有する施設およびそれらの制振方法を提供することを目的としている。
【課題を解決するための手段】
【０００８】
上記目的を達成するために、本発明は、以下の手段を提供する。
本発明は、ステージと、その周囲に配置される観客席と、ステージから離れた位置に配されている観客席に向けてステージの映像を表示する映像表示装置と、該映像表示装置による映像の表示をステージにおける現実の演奏に対して遅延させる遅延手段とを備えるコンサートホールを提供する。
【０００９】
この発明によれば、ステージにおいて演奏が開始されると、映像表示装置が作動してステージの映像がステージから離れた位置に配置されている観客席に向けて表示される。ステージに近い観客席の観客は、ステージ上において行われている現実の演奏を直接観ることにより、また、ステージから離れた位置に配置されている観客席の観客は、映像表示装置に表示されている映像を観ることにより、演奏に伴ってその場で立ち上がり、演奏に合わせて縦揺れする、いわゆる縦ノリ現象が発生する。
【００１０】
この場合において、本発明によれば、遅延手段の作動により、映像表示装置による映像の表示が、ステージにおける現実の演奏に対して遅延させられるので、ステージから離れた位置に配置されている観客席の観客は、ステージにおける現実の演奏とは異なるタイミングで縦ノリ現象を生じることになる。その結果、ステージ近くの観客席において発生した縦ノリによる振動が、ステージから離れた位置の観客席において位相をずらして発生した縦ノリによる振動によって制振され、コンサートホール外部への縦ノリ振動の伝播が防止されることになる。
【００１１】
上記発明において、前記遅延手段が、映像表示装置による映像の表示をステージにおける現実の演奏に対して略半周期分遅延させることとすれば効果的である。
このようにすることで、ステージ近くの観客席における縦ノリ振動と、ステージから離れた位置の観客席における縦ノリ振動とを相互に逆位相の関係にすることができる。具体的には、演奏に伴う縦ノリ振動は、約２〜３Ｈｚの周波数を有しているので、１周期は約０．３３〜０．５秒である。したがって、この発明により、映像表示装置による映像の表示をステージにおける現実の演奏に対して約０．１６７〜０．２５秒ずらすことで、制振効果を最も高めることが可能となる。
【００１２】
また、上記発明において、縦揺れ加速度を検出する加速度センサを備え、該加速度センサにより検出された縦揺れ加速度が所定のしきい値を超えたときに前記遅延手段を作動させる制御装置を備えることとしてもよい。このようにすることで、縦揺れ加速度が所定のしきい値を超えていない場合には、遅延手段を作動させないこととして、映像表示手段による映像の表示をステージにおける現実の演奏と一致させ、コンサートホール全体の観客を一体化させ、雰囲気を盛り上げることができる。また、縦揺れ加速度が所定のしきい値を超えたときには、制御装置の作動により、遅延手段が作動させられるので、観客の一部による縦ノリ振動を部分的にずらして、コンサートホール外部への振動の伝播を抑制することができる。
【００１３】
また、本発明は、ステージとその周囲に配置される観客席とを備えるコンサートホールと、該コンサートホールが設けられている建造物内に配置された視聴領域とを備え、該視聴領域に、ステージの映像を表示する映像表示装置と、ステージの音響を出力する音響出力装置とが設置され、前記映像表示装置による映像の表示および音響出力装置による音響の出力をステージにおける現実の演奏に対して遅延させる遅延手段が設けられている施設を提供する。
【００１４】
この発明によれば、ステージにおいて演奏が開始されると、映像表示装置および音響出力装置が作動してステージの映像および音響が視聴領域において表示または出力される。コンサートホール内の観客席の観客は、ステージ上において行われている現実の演奏を視聴することにより、また、視聴領域における観客は映像表示装置および音響出力装置の映像および音響を視聴することにより、演奏に伴ってその場で立ち上がり、縦ノリ現象が発生する。
【００１５】
この場合において、本発明によれば、遅延手段の作動により、映像表示装置による映像の表示および音響出力装置による音響の出力がステージにおける現実の演奏に対して遅延させあれるので、視聴領域の観客は、ステージにおける現実の演奏とは異なるタイミングで縦ノリ現象を生じることになる。視聴領域は、コンサートホールが設けられている建造物内に配置されているので、コンサートホールにおいて発生した縦ノリによる振動が、視聴領域において位相をずらして発生した縦ノリによる振動によって制振され、コンサートホールを備える施設外部への縦ノリ振動の伝播が防止されることになる。
【００１６】
また、本発明は、ステージとその周囲に配置される観客席とを備えるコンサートホールと、該コンサートホールが設けられている建造物に隣接して配置された視聴領域とを備え、該視聴領域に、ステージの映像を表示する映像表示装置と、ステージの音響を出力する音響出力装置とが設置され、前記映像表示装置による映像の表示および音響出力装置による音響の出力をステージにおける現実の演奏に対して遅延させる遅延手段が設けられている施設を提供する。
【００１７】
この発明のように、コンサートホールが設けられている建造物に隣接して視聴領域を設けた場合、例えば、コンサートホールに隣接する駐車場に視聴領域を設け、そこで映像表示装置および音響出力装置により、コンサートホールの映像の表示および音響の出力を行う場合にも、遅延手段を作動させて、コンサートホールにおける縦ノリ振動と、視聴領域における縦ノリ振動とを位相をずらして発生させることにより、施設外部への振動の伝播を効率的に抑制することができる。
【００１８】
上記発明において、前記遅延手段が、映像表示装置による映像の表示および音響出力装置による音響の出力をステージにおける現実の演奏に対して略半周期分遅延させることが好ましい。
このようにすることで、コンサートホールにおける縦ノリ振動と、視聴領域における縦ノリ振動とを相互に逆位相の関係とすることができ、効率よく振動の伝播を抑制することができる。
【００１９】
また、上記発明において、縦揺れ加速度を検出する加速度センサを備え、該加速度センサにより検出された縦揺れ加速度が所定のしきい値を超えたときに前記遅延手段を作動させる制御装置を備えることとしてもよい。このようにすることで、縦揺れ加速度が所定のしきい値を超えたときには、制御装置の作動により、遅延手段を作動させ、コンサートホールの観客および視聴領域における観客による縦ノリ振動をずらして、施設外部への振動の伝播を抑制することができる。
【００２０】
また、本発明は、ステージとその周囲に配置される観客席とを備えるコンサートホールにおいて、前記観客席の一部の領域に向けて表示するステージの映像を、ステージにおける現実の演奏に対して遅延させるコンサートホールの制振方法を提供する。
また、本発明は、ステージとその周囲に配置される観客席とを備えるコンサートホールに近接してステージの映像を視聴可能な視聴領域を備える施設において、前記視聴領域に向けて表示するステージの映像を、ステージにおける現実の演奏に対して遅延させるコンサートホールを備える施設の制振方法を提供する。
【００２１】
これらの発明によれば、コンサートホールのステージにおいて行われる演奏に伴って、ステージ周囲の観客席の観客により発生する縦ノリ振動が、観客席の一部の観客または視聴領域の観客により発生する縦ノリ振動によって相殺され、コンサートホールまたはこれを含む施設の外部に、縦ノリ振動が伝播することを抑制することができる。
【発明の効果】
【００２２】
本発明によれば、特別な制振装置を必要とせず、コンサートにおいて必要とされる機材と観客とを利用して、簡易かつ低コストで大規模コンサートホールにおける縦ノリ振動を効果的に抑制することができるという効果を奏する。
【発明を実施するための最良の形態】
【００２３】
以下、本発明の一実施形態に係るコンサートホールとその制振方法について、図１から図３を参照して説明する。
まず、本実施形態に係るコンサートホール１は、図１および図２に示されるように、アーティストが演奏等を行うステージ２と、その周囲に配置された観客席３と、ステージ２から離れた位置に配されている観客席３に向けてステージ２の映像を表示する複数のモニタ（映像表示装置）４と、これらのモニタ４に表示される映像信号を制御する映像制御装置５（図３参照）とを備えている。
【００２４】
コンサートホール１内には、図３に示されるように。ステージ２に向けて設置された複数台のカメラ６と、ステージ２上の音を拾う複数のマイクロフォン７と、該マイクロフォン７により拾った音をミキシングするＰＡ（音響設備）用ミキサ８と、コンサートホール１の壁面または床面に設置され縦揺れ加速度を検出する加速度センサ９と、前記ミキサ８から出力された音響信号に基づいて、遅延時間を算出する演算処理装置１０とが備えられている。
図３中、符号１１は、ステージ２の位置、各モニタ４の位置等の種々のデータを設定し保存しておくための設定機である。また、符号１２は、前記ミキサ８から出力された音響信号を増幅するアンプ、符号１３は増幅された音響信号を出力するスピーカである。
【００２５】
前記ステージ２は、コンサートホール１の前方中央に配置され、前記観客席３はその周囲に配置されている。コンサートホール１が大規模になると、ステージ２に対して遠く離れた位置に配される観客席３もあり、このようにステージ２から離れた観客席３の観客からは、ステージ２上の演奏を、十分な臨場感をもって観ることができない場合がある。このような場合に備えて、ドーム球場のように大規模なコンサートホール１では、複数の大画面のモニタ４を設置し、これらのモニタ４にステージ２上の演奏の映像を表示することにより、コンサートホール１の全観客に対して、演奏の臨場感を味わわせることができるようになっている。
【００２６】
このように、ステージ２から離れた位置の観客ほど、このモニタ４上の映像を観ることとなるので、モニタ４は、主としてステージ２から離れた位置に配されている観客席３に向けてステージ２上の映像を拡大して表示するものであり、ステージ２から離れた観客席３から観やすい位置および方向に設置されている。なお、ステージ２近くの観客はモニタ４上の映像を観るまでもなく、ステージ２の現実の演奏を観るので、これらの観客からはモニタ４が見えないようにしておいてもよい。
【００２７】
前記映像制御装置５は、カメラ６からの映像信号を入力されて、モニタ４に出力する映像信号を拡大縮小等調整するカメラコントローラ１４と、調整された映像信号を各モニタ４に対して分配する分配器１５と、前記演算処理装置１０により算出された遅延時間に基づいて、各モニタ４に出力する映像信号を遅延させる映像遅延装置１６とを備えている。
【００２８】
前記演算処理装置１０は、前記ミキサ８から出力された音響信号に基づいてビート情報、すなわち、演奏の基調となる周波数を抽出するビートトラッキング処理部１７と、前記設定機１１により設定された各種データに基づいて映像信号の遅延時間を算出する映像遅延時間算出部１８とを備えている。また、映像遅延時間算出部１８は、前記加速度センサ９に接続され、加速度センサ９から出力されたコンサートホール１の縦揺れ加速度が所定のしきい値を超えるまで遅延時間をゼロに設定し、縦揺れ加速度が所定のしきい値を超えた時点で算出された遅延時間を各映像遅延装置５に対して出力するようになっている。
【００２９】
遅延時間は、前記ビートトラッキング処理部１７において抽出された演奏の基調となる周波数に基づいて、それを半波長ずらすような時間として算出される。例えば、ビート情報が演奏の基調となる周波数は２Ｈｚであると抽出した場合には、波長は０．５秒であるから、遅延時間としてその半分の０．２５秒を設定する。
【００３０】
本実施形態に係るコンサートホールの制振方法は、上記のように構成されたコンサートホール１において、観客席３の一部の領域に向けて表示するステージ２の映像を、ステージ２おける現実の演奏に対して遅延させるものである。映像の表示を遅延させる観客席３の一部の領域としては、例えば、上述したようにステージ２から離れた位置に配置されている観客席３を挙げることができる。
【００３１】
このように構成された本実施形態に係るコンサートホール１およびその制振方法の作用について以下に説明する。
本実施形態に係るコンサートホール１において、アーティストによる演奏が行われると、ステージ２上におけるアーティストの映像が複数台のカメラ６によって撮影されカメラコントローラ１４、分配器１５および映像遅延装置１６を経て、大画面モニタ４によって表示される。
一方、マイクロフォン７によって拾われた音は、ミキサ８においてミキシングされた後に、アンプ１２において増幅され、スピーカ１３から出力される。
【００３２】
これにより、観客席３の観客は、ステージ２近くにおいてはステージ２のアーティストを直接観ることにより、また、ステージ２から離れた位置においては、大画面モニタ４を観ることにより、演奏に伴ってその場で立ち上がり、演奏に合わせて縦揺れする、縦揺れ運動を生じさせる。５万人の観客を集める大規模コンサートの場合には、観客が一斉に縦揺れ運動を行うと、巨大な加振力が床面に加えられ、周波数２〜３Ｈｚの縦揺れ加速度による、いわゆる縦ノリ振動が発生する。
【００３３】
本実施形態に係るコンサートホール１においては、壁面または床面に加速度センサ９が設けられているので、該加速度センサ９により検出された縦揺れ加速度が演算処理装置１０に入力される。演算処理装置１０においては、映像遅延時間算出部１８において、入力された縦揺れ加速度信号が、所定のしきい値を越えるか否かが判断される。そして、入力された縦揺れ加速度信号が所定のしきい値を越えていない場合には、制振を必要とするほどの縦ノリ振動が発生していないものと判断して、演算遅延時間算出部１８は、遅延時間としてゼロ（遅延表示なし）を出力する。一方、入力された縦揺れ加速度信号が所定のしきい値を越えた場合には、制振を必要とするほどの縦ノリ振動が発生しているものとして、映像遅延時間算出部１８は、ビートトラッキング処理部１７において抽出されたビート情報に基づいて、そのビート情報の半波長分の時間を遅延時間として出力する。
【００３４】
この場合において、設定機１１に記憶されている各モニタ４の位置データが参照され、コンサートホール１内に設置されている複数のモニタ４の内、主としてステージ２に近い観客席３の観客に映像を表示するモニタに対しては、現実の演奏に対して遅延していない映像を表示するように、遅延時間がゼロに設定される。また、主としてステージ２から離れた観客席３の観客に映像を表示するモニタ４に対しては、現実の演奏に対して遅延した映像を表示するように、上述した遅延時間が設定される。
【００３５】
これにより、カメラ６によって撮影され、カメラコントローラ１４によって調整された映像信号は、各モニタ４用に分配された後に、主としてステージ２から離れた観客席３の観客に映像を表示するモニタ４に対しては、映像遅延時間算出部１８において設定された遅延時間だけ遅延させられた映像信号が送られることになる。
したがって、ステージ２近くの観客席３にいる観客は、ステージ２において行われている現実の演奏に合わせて縦揺れ運動を生じさせる一方、ステージ２から離れた観客席３にいる観客は、モニタ４に表示されている映像に合わせて縦揺れ運動を生じさせることになる。
【００３６】
その結果、ステージ２の近くの観客により発生される縦ノリ振動と、ステージ２から離れた位置の観客により発生される縦ノリ振動とが、位相を異ならせて発生させられるので、これらの縦ノリ振動が相互に相殺され、コンサートホール１内の全観客が一斉に縦ノリ振動を発生させる場合と比較すると、コンサートホール１外部に伝播する振動を小さくすることができる。
特に、一部のモニタ４に表示する映像信号を、現実の演奏に対して半波長分だけずらすことにより、そのモニタ４を観る観客の縦揺れ運動を、現実の演奏を観る観客の縦揺れ運動とは逆位相の関係とすることができる。したがって、理想的には、全観客の半数が現実の演奏に対して半波長分だけずれて縦ゆれ運動することとすれば、コンサートホール１において生ずる縦ノリ振動を消滅させることができ、また、現実的には、縦ノリ振動を大幅に低減することができる。
【００３７】
すなわち、本実施形態に係るコンサートホール１およびその制振方法によれば、コンサートホール１の縦揺れ加速度を検出する加速度センサ９と、一部のモニタ４に送る映像信号を遅延させるための手段１０，１６とを設けるだけで、コンサートにおいて通常必要とされる機材、例えば、大画面モニタ４やマイクロフォン７等および縦ノリ振動の発生源である観客自身を利用することで、簡易かつ低コストでしかも効果的に縦ノリ振動を抑制することができるという効果がある。
【００３８】
なお、本実施形態に係るコンサートホール１においては、加速度センサ９を設けることにより、コンサートホール１の縦揺れ加速度が所定のしきい値を超えたときに一部のモニタ４に送る映像信号を遅延させることとしたが、これに代えて、加速度センサ９を用いなくてもよい。この場合、一部の観客席３に向けた映像信号を常に、ステージ２上の現実の演奏に対して遅延させることにすればよい。
【００３９】
また、本実施形態においては、演奏のビート情報を抽出することで、現実の演奏に対してモニタ４に表示する映像を半波長分遅延させるようにしたが、これに代えて、縦ノリ振動は約２〜３Ｈｚの周波数帯域に限られているので、ビート情報によることなく、一律に、例えば、０．２５秒遅延させることにしてもよい。このようにすることによっても、ある程度の制振効果を得ることができる。
【００４０】
次に、本発明の一実施形態に係るコンサートホール１を備える施設２０とその制振方法について、図４を参照して説明する。
なお、本実施形態の説明においては、上記実施形態において説明した構成と共通する構成に同一の符号を付して説明を簡略化することにする。
【００４１】
本実施形態に係るコンサートホール１を備える施設２０は、図４に示されるように、アーティストによる演奏が行われるステージ２が設けられたコンサートホール１を備える建造物の地下に、コンサートホール１から隔離された視聴空間（視聴領域）２１を備えている。視聴空間２１には、上階のコンサートホール１と同程度の数の観客が動員されることが好ましいが、それより少ない数であってもよい。
【００４２】
コンサートホール１におけるモニタ４への映像の表示は、上記実施形態のようにして部分的に遅延させることにしてもよいが、視聴空間２１にコンサートホール１と同程度の観客が動員される場合には、コンサートホール１における映像の表示は遅延させなくてもよい。
【００４３】
視聴空間２１には、該視聴空間２１にいる観客に向けてステージ２上の演奏の映像を表示する大画面モニタ４と、ステージ２上の演奏の音響を出力するスピーカ１３とが配置されている。
大画面モニタ４に表示される映像は、第１の実施形態に係るコンサートホール１の場合と同様に、現実の演奏に対して、例えば半波長分遅延させられている。
また、本実施形態に係るコンサートホール１を備えた施設２０においては、視聴空間２１に配されているスピーカ１３から出力される音響も、前記大画面モニタ４により表示される映像と同じだけ、現実の演奏に対して遅延させて出力されるようになっている。
【００４４】
このように構成された本実施形態に係る施設２０によれば、コンサートホール１における観客が一斉に縦揺れ運動することにより縦ノリ振動が発生しても、視聴空間２１における観客が、半波長分だけ遅れたタイミングで縦揺れ運動することにより、コンサートホール１において発生した縦ノリ振動が相殺されて、大幅に低減されることになる。特に、コンサートホール１から隔離された視聴空間２１においては、コンサートホール１の音響や映像が直接届くことがないので、視聴空間２１における観客の縦揺れ運動のタイミングを精度よくコントロールすることができる。
その結果、さらに効率的に縦ノリ振動を低減することができるという効果を奏する。
【００４５】
なお、本実施形態に係るコンサートホール１を備える施設２０においては、コンサートホール１を備える建造物の地下に視聴空間２１を設けることとしたが、建造物の上階に設けることとしてもよく、また、同一フロアに設けることにしてもよい。
また、建造物内部に視聴空間２１を設けることに代えて、例えば、図５に示されるように、コンサートホール１に隣接する駐車場や広場等に観客を動員する視聴領域２２を設け、そこに大画面モニタ４およびスピーカ１３を設置して、上記と同様に映像表示および音響出力を遅延させることにしてもよい。
【図面の簡単な説明】
【００４６】
【図１】本発明の一実施形態に係るコンサートホールを示す平面図である。
【図２】図１のコンサートホールを示す縦断面図である。
【図３】図１のコンサートホールにおける信号処理を説明するブロック図である。
【図４】本発明の一実施形態に係るコンサートホールを備える施設を示す縦断面図である。
【図５】図４の施設の変形例を示す縦断面図である。
【符号の説明】
【００４７】
１  コンサートホール
２  ステージ
３  観客席
４  モニタ（映像表示装置）
９  加速度センサ
１３  スピーカ（音響出力装置）
１６  遅延手段（映像遅延装置）
１８  映像遅延時間算出部（制御装置）
２０  施設
２１  視聴空間（視聴領域）
２２  視聴領域
【図１】
2005220710.tif 000003
【図２】
2005220710.tif 000004
【図３】
2005220710.tif 000005
【図４】
2005220710.tif 000006
【図５】
2005220710.tif 000007